(57)【要約】【課題】簡単な構成で楽に且つ効果的に微振動によるリンパ液および間質組織液の活性化を図ることができる振動付与装置を提供すること。【解決手段】振動によってリンパ液および間質組織液の流れを促進するための振動付与装置１を、振動発生部２と、該振動発生部２に長手方向一端が接続された細長い帯状部３と、該帯状部３の長手方向他端部に設けられたクッション部４と、を含んで構成する。ここで、前記振動発生部２は、駆動源であるモータ２２と、該モータ２２によって回転駆動される偏心ロータ２３と、前記モータ２２に電力を供給するバッテリ２４と、該バッテリ２４から前記モータ２２に供給される電力を制御する制御基板２５と、を円筒容器状のケース２１に収容して構成される。【選択図】図１
2020185271.tif 000002
【特許請求の範囲】
【請求項１】
振動によってリンパ液および間質組織液の流れを促進するための振動付与装置であって、
振動発生部と、該振動発生部に長手方向一端が接続された細長い帯状部と、該帯状部の長手方向他端部に設けられたクッション部と、を含んで構成されることを特徴とする振動付与装置。
【請求項２】
前記振動発生部は、駆動源であるモータと、該モータによって回転駆動される偏心ロータと、前記モータに電力を供給するバッテリと、該バッテリから前記モータに供給される電力を制御する制御基板と、を円筒容器状のケースに収容して構成されることを特徴とする請求項１に記載の振動付与装置。
【請求項３】
前記ケースは、半円筒状の２つの分割ケース同士を、両者間に前記帯状部の長手方向一端を挟み込んだ状態で重ね合わせ、その長手方向両端にリング状の取付具をそれぞれ被着して構成されることを特徴とする請求項２に記載の振動付与装置。
【請求項４】
前記帯状部は、伸び率が１０〜２０％のストレッチ性を有する生地で構成されていることを特徴とする請求項１に記載の振動付与装置。
【請求項５】
前記クッション部は、上下２枚の表層体から成る前記帯状部の長手方向他端部の上下２枚の表層体の間にクッション材を挟み込んだ状態で少なくともその一部を圧着させてなる圧着部を有し、該圧着部は圧着による複数の凹凸が形成されたものであることを特徴とする請求項１に記載の振動付与装置。
【発明の詳細な説明】
【技術分野】
【０００１】
本発明は、人体の対象部位に振動を付与することで健康改善を図るための振動付与装置に関し、特に、振動を付与することでリンパ液および間質組織液の流れを促進することができる振動付与装置に関する。
【背景技術】
【０００２】
ヒトの体の中には血管の他にリンパ管が全身に広がっている。また体内の臓器および細胞は間質組織液によって浸されている。この間質組織液は、血液から細胞の中に染み出して酸素や栄養分、水分などを細胞に供給するとともに、細胞から余分な水分や老廃物を取り込んでリンパ管へと戻す機能を果たす。
【０００３】
リンパ管は、数本ずつが関節部分に多く存在するリンパ節で合流しながら次第に太くなり、最終的には静脈に取り込まれ、リンパ液に含まれる余分な水分や老廃物は、尿として体外に排出される。
【０００４】
上記のようなリンパ液の流れが滞ると、むくみや肌荒れなどが生じることは従来から知られており、これらを改善する方法としてリンパマッサージが考案された。このリンパマッサージは、人の手のひらを用いて皮膚に圧力や刺激が伝わる程度の優しい力を掛けてリンパ節の方向に撫でるマッサージ法である。因みに、筋肉マッサージは、硬くなった筋肉を柔らかくほぐすために、手の指によって圧する（指圧）、たたく、もむ（もみほぐす）マッサージであって、リンパマッサージとは全く異なるものである。
【０００５】
このようなリンパマッサージを行うための装置や器具が今までに種々提案されている。例えば、特許文献１には、ベルト駆動プーリとベルト保持プーリとの間に巻装された無端ベルトを駆動源である回転モータによって回転駆動し、該無端ベルトの外面に配置された複数のマッサージ片によって被施術者の皮膚を一方向に撫でるようにしたリンパ液流促進マッサージ装置が提案されている。
【０００６】
また、特許文献２には、リング状のゴムを足首などから順次回転させながら体の中心部に向かって移動させることによって、リンパ液を容易に且つ効率よく戻すことができるリンパ液戻し器具が提案されている。
【０００７】
さらに、特許文献３には、長尺綿タオルをリング状に縫い合わせてサークル状とし、両手の上下、左右、前後および斜めの動きによってサークル状のタオルを回転させることによってリンパマッサージを行うようにしたリンパマッサージタオルが提案されている。
【先行技術文献】
【特許文献】
【０００８】
【特許文献１】特開２０１７−１１９０５８号公報
【特許文献２】特開２０１３−２５５７１２号公報
【特許文献３】特開２０１２−１９２１４５号公報
【発明の概要】
【発明が解決しようとする課題】
【０００９】
しかしながら、特許文献１において提案されたリンパ液流促進マッサージ装置は、構造が複雑で大型化するため、大きな設置スペースを要する他、コストアップを招くという問題がある。
【００１０】
これに対して、特許文献２において提案されたリンパ液戻し器具や特許文献３において提案されたリンパマッサージタオルは、構造が単純で大きな設置スペースを要さず、また、安価であるという利点を有するが、被施術者自らの手を煩わせるために多少の労力を要し、高い効果を望むことができない可能性がある。
【００１１】
また、上記のリンパマッサージは、リンパ管の中のリンパ液だけに注目したものであり、その周り全てを取り巻く間質組織液には着目していない。本来、リンパ液および間質組織液は何もしなければ流れることは無く、そこに停滞したままである。そのため、間質組織液に注目し、微振動により筋肉を刺激してリンパ液および間質組織液を活性化させてその流れを促進させることが必要となる。
【００１２】
本発明は、上記問題に鑑みてなされたもので、その目的は、簡単な構成で楽に且つ効果的に微振動によるリンパ液および間質組織液の活性化を図ることができる振動付与装置を提供することにある。
【課題を解決するための手段】
【００１３】
上記目的を達成するため、本発明は、振動によってリンパ液および間質組織液の流れを促進するための振動付与装置（１）であって、振動発生部（２）と、該振動発生部（２）に長手方向一端が接続された細長い帯状部（３）と、該帯状部（３）の長手方向他端部に設けられたクッション部（４）と、を含んで構成したことを特徴とする。
【００１４】
本発明に係る振動付与装置によれば、当該振動付与装置を振動発生部と帯状部およびクッション部とで構成し、振動発生部で振動を発生させてこれが帯状部からクッション部を経て被施術者の患部へと伝播するようにしたため、被施術者に対して簡単な構成で楽に且つ効果的に微振動によるリンパ液および間質組織液の活性化の施術を施すことができる。
【００１５】
また、上記振動付与装置（１）において、前記振動発生部（２）は、駆動源であるモータ（２２）と、該モータ（２２）によって回転駆動される偏心ロータ（２３）と、前記モータ（２２）に電力を供給するバッテリ（２４）と、該バッテリ（２４）から前記モータ（２２）に供給される電力を制御する制御基板（２５）と、を円筒容器状のケース（２１）に収容して構成されるものとしてもよい。
【００１６】
上記構成によれば、モータによって偏心ロータを回転させれば、該偏心ロータの回転によって振動発生部に振動を発生させることができる。
【００１７】
また、前記振動付与装置（１）において、前記ケース（２１）は、半円筒状の２つの分割ケース（２１Ａ，２１Ｂ）同士を、両者（２１Ａ，２１Ｂ）間に前記帯状部（３）の長手方向一端を挟み込んだ状態で重ね合わせ、その長手方向両端にリング状の取付具（５）をそれぞれ被着して構成されるものとしてもよい。
【００１８】
上記構成によれば、ケースを組み立てると同時に帯状部の長手方向一端を振動発生部に簡単に取り付けることができる。
【００１９】
また、前記振動付与装置（１）において、前記帯状部（３）は、伸び率が１０〜２０％のストレッチ性を有する生地で構成されるものとしてもよい。
【００２０】
上記構成によれば、帯状部を適度に緊張させた状態で、振動発生部において発生した振動をクッション部へと効果的に伝播させることができる。
【００２１】
また、前記振動付与装置（１）において、前記クッション部（４）は、上下２枚の表層体（３１，３２）から成る前記帯状部（３）の長手方向他端部の上下２枚の表層体（３１，３２）の間にクッション材（４１）を挟み込んだ状態で少なくともその一部を圧着させてなる圧着部（４２）を有し、該圧着部（４２）は、圧着による複数の凹凸が形成されたものとしてもよい。
【００２２】
上記構成によれば、クッション部に複数の比較的硬い圧着部による複数の凹凸が形成されるため、被施術者の患部への当該クッション部のグリップ力が高められる。また、振動発生部において発生した振動が圧着部における複数の凹凸を介して体に伝わることで、当該振動が体の表層だけでなく内部にまで効果的に伝播するという効果も得られる。
【発明の効果】
【００２３】
本発明に係る振動付与装置によれば、簡単な構成で楽に且つ効果的に微振動によるリンパ液および間質組織液の活性化の施術を施すことができるという効果が得られる。
【図面の簡単な説明】
【００２４】
【図１】本発明に係る振動付与装置の平面図である。
【図２】図１のＡ−Ａ線断面図である。
【図３】本発明に係る振動付与装置の振動発生部の破断斜視図である。
【図４】本発明に係る振動付与装置の振動発生部のシステム構成を示すブロック図である。
【図５】本発明に係る振動付与装置の振動発生部のケースの斜視図である。
【図６】本発明に係る振動付与装置の振動発生部のケースの分解斜視図である。
【図７】本発明に係る振動付与装置の使用形態を示す斜視図である。
【発明を実施するための形態】
【００２５】
以下、添付図面を参照して本発明の実施の形態を説明する。
【００２６】
図１は本発明に係る振動付与装置の平面図、図２は図１のＡ−Ａ線断面図である。図１に示す振動付与装置１は、人体におけるリンパ液および間質組織液の流れを振動によって促進するための器具であって、振動発生部２と、該振動発生部２に長手方向一端（図１の左端）が接続された細長い帯状部３と、該帯状部３の長手方向他端部（図２の右端部）に設けられたクッション部４を含んで構成されている。
【００２７】
上記帯状部３は、図２に示すように、伸び率が１０〜２０％のストレッチ性を有する細長い帯状の生地で構成されており、この生地は、図２に示すように、上下２枚の表層体３１，３２を重ね合わせて融着することによって構成されている。そして、この帯状部３の長手方向一端（図１の左端）は、後述の取付構造によって振動発生器２のケース２１に挟み込まれて取り付けられている。
【００２８】
そして、帯状部３の長手方向他端部には、前述のようにクッション部４が一体的に設けられている。このクッション部４は、図２に示すように、上下２枚の表層体３１，３２の間に綿（クッション材）４１を挟み込み、その状態で少なくともその一部を圧着させてなる圧着部４２を有している。この圧着部４２における圧着によって上下２枚の表層体３１，３２とクッション材４１とが一体化されて構成されている。また、圧着部４２は、その長手方向に沿って圧着の程度の差による複数の凹凸が交互に形成されたものである。これにより、圧着部４２は、比較的に硬質の凹凸が直線状に配列されたものとなっている。なお、圧着部４２は、超音波による圧着、加圧のみによる圧着、加圧及び加熱による圧着など、各種手段による圧着を施すことができる。
【００２９】
また、クッション部４は、表層体３１，３２の幅方向（図２の紙面垂直方向）に長い複数本（図示例では、３本）の棒状のクッション材４１が表層体３１，３２の長手方向（図２の左右方向）に適当な間隔で配置してこれらを上下２枚の表層体３１，３２で挟み込まれた状態となっている。また、クッション部４の上下の表面には、クッション材４１とその間の圧着部４２とによって波状の複数（図示例では、３つ）の凹凸が長手方向に連続して形成されている。
【００３０】
次に、振動発生部２について図３および図４を参照しながら以下に説明する。
【００３１】
図３は振動発生部の破断斜視図、図４は同振動発生部のシステム構成を示すブロック図である。
【００３２】
振動発生部２は、図３に示すように、円筒容器状のケース２１の内部に、駆動源であるモータ２２と、該モータ２２によって回転駆動される偏心ロータ２３と、モータ２２に電力を供給するバッテリ２４と、バッテリ２４からモータ２２に供給される電力を制御する制御基板２５などを収容して構成されている。
【００３３】
モータ２２とバッテリ２４は、ケース２１内において偏心ロータ２３を挟んでこれの両側（図３の左右）に配置されており、モータ２２の出力軸（モータ軸）２２ａの２点（基端部と自由端の２点）は、円板状の２つのホルダ２６の各中心部にそれぞれ取り付けられた軸受（ボールベアリング）２７によってケース２１に対して回転可能に支持されている。そして、モータ２２の出力軸（モータ軸）２２ａには、偏心ロータ２３が挿通固着されているが、モータ２２の出力軸（モータ軸）２２ａは、偏心ロータ２３の軸中心から径方向にオフセットした位置（偏心した位置）に挿通している。
【００３４】
また、図３に示すように、バッテリ２４から延びる電源コード２８は、２つのホルダ２６を貫通して制御基板２５へと電気的に接続されており、制御基板２５から延びる電源コード２８は、モータ２２に接続されている。
【００３５】
また、バッテリ２４に近い一方（図の左側）の底面には、充電ジャック６が取り付けられており、この充電ジャック６からケース２１内へと延びる充電コード２９は、バッテリ２４に電気的に接続されている。なお、本実施の形態では、バッテリ２４には、リチウムポリマー電池が使用されている。
【００３６】
ここで、振動発生部２のシステム構成を図４に示すが、同図に示すように、バッテリ２４と制御基板２５のＰＷＭ（Pulse Width Modulation）コントローラ２５１とを電気的に接続する電源コード２８の途中には、バッテリ２４からモータ２２への電力の供給をＯＮ／ＯＦＦして該モータ２２を起動／停止するためのパワースイッチ７が設けられている。また、ＰＷＭコントローラ２５１には、コントロールスイッチ８が設けられている。なお、パワースイッチ７とコントロールスイッチ８は、ケース２１のモーター２２に近い一方（図の右側）の底面に取り付けられており、施術者または被施術者は、パワースイッチ７とコントロールスイッチ８を指で操作することができる。
【００３７】
ＰＷＭコントローラ２５１は、パルス波のデューティ比（ＯＮ／ＯＦＦの比率）を変化させることによって、モータ２２に供給する電力を調整して該モータ２２の回転数を変化させる機能を果たすものであって、コントロールスイッチ８を操作することによってモータ２２の回転数が調整される。
【００３８】
以上のように構成された振動発生部２において、図４に示すパワースイッチ７がＯＮされると、バッテリ２４からモータ２２へと電力が供給されて該モータ２２が起動される。すると、モータ２２の出力軸（モータ軸）２２ａが回転し、この出力軸（モータ軸）２２ａと共に偏心ロータ２３が回転する。この偏心ロータ２３は、その軸中心からオフセットした偏心軸を中心として回転するため、この偏心ロータ２３の回転によって振動発生部２には振動が発生し、この振動は、図１に示す帯状部３を経てクッション部４へと伝播するため、該クッション部４が振動する。この場合、図４に示すコントロールスイッチ８を操作して、ＰＷＭコントローラ２５１によるモータ２２への供給電力を制御することによってモータ２２の回転数が変化し、振動発生部２に発生する振動、つまりはクッション部４へと伝播する振動の振動数と振幅が調整される。
【００３９】
そして、パワースイッチ７がＯＦＦされると、バッテリ２４からモータ２２への電力の供給が遮断されるため、モータ２２と偏心ロータ２３の回転が停止し、振動発生部２での振動の発生も停止する。なお、バッテリ２４の充電残量が低下した場合には、例えば商用電源から延びるコードの先端に取り付けられた不図示のプラグを図３に示す充電ジャック６に差し込めば、バッテリ２４が商用電源によって充電される。
【００４０】
ここで、振動発生部２のケース２１の構成を図５及び図６に基づいて以下に説明する。
【００４１】
図５は振動発生部のケースの斜視図、図６は同ケースの分解斜視図であり、図６に示すように、ケース２１は、長手方向の分割ラインで２分割された半円筒状の２つの分割ケース２１Ａ，２１Ｂ同士を、両者間に帯状部３の長手方向一端を挟み込んだ状態で重ね合わせ、その長手方向両端にリング状のキャップ（取付具）５をそれぞれ被着することによって、図５に示すように、円筒容器状に組み立てられる。
【００４２】
図６に示すように、２つの分割ケース２１Ａ，２１Ｂの長手方向両端部には、長さの短い小径の半円筒状凸部２１ａがそれぞれ形成されており、両分割ケース２１Ａ，２１Ｂを重ね合わせると、両者の間には長手方向に沿うスリット２１ｂが形成される。なお、このスリット２１ｂの長手方向両端部は、Ｌ字状に屈曲している。
【００４３】
２つの分割ケース２１Ａ，２１Ｂのスリット２１ｂに図１に示す帯状部３の長手方向一端（図１の左端）を差し込んでこれを両分割ケース２１Ａ，２１Ｂによって挟み込んだ状態で、両分割ケース２１Ａ，２１Ｂの長手方向両端の半円筒状凸部２１ａによって形成される小径の円筒部分にキャップ５を被せて固定すると、図５に示す円筒容器状のケース２１が組み立てられると同時に、該ケース２１に帯状部３の長手方向一端が挟み込まれて固定される。
【００４４】
次に、以上のように構成された振動付与装置１の使用形態の一例を図７に基づいて以下に説明する。
【００４５】
図７は本発明に係る振動付与装置の使用形態の一例を示す斜視図である。振動付与装置１は、クッション部４を被施術者が例えば図示のように脇の間に挟み、被施術者とは別の施術者が片手で振動発生部２をつかんだ状態でこれを自分の方に引っ張り、帯状部３を緊張させた状態で図４に示すパワースイッチ７をＯＮする。すると、前述のようにモータ２２（図３参照）が起動されて振動発生部２に振動が発生する。そして、この振動は、帯状部３を経てクッション部４へと伝播し、クッション部４から被施術者の患部に適度な振動が与えられる。なお、本実施の形態では、帯状部３を、伸び率が１０〜２０％のストレッチ性を有する生地で構成したため、この帯状部３を適度に緊張させた状態で、振動発生部２において発生した振動をクッション部４へと効果的に伝播させることができる。また、クッション部４に複数（本実施の形態では、４本）の比較的硬い圧着部４２（図２参照）による複数の凹凸を形成したため、被施術者の患部への当該クッション部４のグリップ力が高められる。また、振動発生部２において発生した振動が圧着部４２における複数の凹凸を介して体内に伝わることで、当該振動が体の表層だけでなく内部にまで効果的に伝播するという効果も得られる。
【００４６】
上述のように被施術者の患部に適度な振動が与えられると、筋肉が緩み膨らみ筋弛緩収縮を繰り返し、患部の滞ってしまっていたリンパ液および間質組織液が体の各所へ循環し始める。そして、このリンパ液及び間質組織液の循環によって、細胞から老廃物と二酸化炭素が毛細血管へと排出され、毛細血管から栄養分と酸素が細胞へと吸収されるため、むくみや肌荒れなどが解消される。なお、振動発生部２において発生する振動の振動数は、１００回／分〜６００回／分、振幅は、５ｍｍ〜３０ｍｍが望ましい。振動数は、前述のようにコントロールスイッチ８（図４参照）によってモータ２２（図３および図４参照）の回転数を変化させることによって任意に調整することができる。
【００４７】
なお、図７に示す使用例においては、振動発生部２を被施術者とは別の施術者が手でつかんで操作するようにしたが、帯状部３の長さを調節して振動発生部２を被施術者自身がつかむことができる長さに設定すれば、被施術者自身が他人の援助を要することなく振動発生部２を操作して上記の振動付与による施術を行うことができる。
【００４８】
また、図７には被施術者が振動付与装置１のクッション部２を脇に挟んで振動付与による施術を行う例を示したが、被施術者がベッドや床上に仰向けに寝て腰の下に振動付与装置１のクッション部２を挟んだ状態で腰部に振動を付与する施術を行うようにしてもよい。
【００４９】
なお、以上の実施の形態では、振動発生部２の加振源として単一の偏心ロータ２３を用いたが、２つの偏心ロータを用いてこれらを双方逆回転させるツイン偏心ロータを用いてもよい。このツイン偏心ロータを用いれば、円振動を相殺して一定方向の振動を発生させることができる。
【００５０】
以上のように、本実施の形態によれば、振動付与装置１を振動発生部２と帯状部３およびクッション部４とで構成し、振動発生部２で振動を発生させてこれが帯状部３からクッション部４を経て被施術者の患部へと伝播するようにしたため、被施術者に対して簡単な構成で楽に且つ効果的にリンパ液及び間質組織液の流れを促進させることができるという効果が得られる。
【００５１】
本発明は、以上説明した実施の形態に適用が限定されるものではなく、特許請求の範囲および明細書と図面に記載された技術的思想の範囲内で種々の変形が可能である。
【符号の説明】
【００５２】
１                振動付与装置
２                振動発生部
２１            ケース
２１Ａ，２１Ｂ  分割ケース
２２            モータ
２３            偏心ロータ
２４            バッテリ
２５            制御基板
２６            ホルダ
２７            軸受
２８            電源コード
２９            充電コード
３                帯状部
３１，３２      表層体
４                クッション部
４１            綿（クッション材）
４２            圧着部
５                キャップ（取付具）
６                充電ジャック
７                パワースイッチ
８                コントロールスイッチ
【図１】
2020185271.tif 000003
【図２】
2020185271.tif 000004
【図３】
2020185271.tif 000005
【図４】
2020185271.tif 000006
【図５】
2020185271.tif 000007
【図６】
2020185271.tif 000008
【図７】
2020185271.tif 000009